(57)【要約】【課題】装置の据付性を向上させることができる磁気共鳴イメージング装置を提供する。【解決手段】実施形態に係る磁気共鳴イメージング装置は、寝台と、受信部とを備える。ここで、寝台は、被検体が載置される。また、受信部は、複数のコイルエレメントを含む受信コイルによってコイルエレメントごとに受信された磁気共鳴信号を処理する。そして、当該実施形態に係る磁気共鳴イメージング装置では、前記受信部は、前記寝台に設置される。【選択図】図１
2014212856.tif 000002
【特許請求の範囲】
【請求項１】
被検体が載置される寝台と、
複数のコイルエレメントを含む受信コイルによってコイルエレメントごとに受信された磁気共鳴信号を処理する受信部と
を備え、
前記受信部は、前記寝台に設置されることを特徴とする磁気共鳴イメージング装置。
【請求項２】
前記受信部は、前記コイルエレメントごとに受信された磁気共鳴信号を合成する合成部、前記コイルエレメントごとに受信された磁気共鳴信号の中から撮像に用いる磁気共鳴信号を選択する選択部、及び、前記コイルエレメントごとに受信された磁気共鳴信号をデジタル信号に変換する変換部のうち少なくとも１つを有することを特徴とする請求項１に記載の磁気共鳴イメージング装置。
【請求項３】
前記受信部は、前記磁気共鳴信号の伝送経路上で前記寝台の可動部より後段に設置されることを特徴とする請求項１又は２に記載の磁気共鳴イメージング装置。
【請求項４】
前記受信部は、前記寝台における下側に設置されることを特徴とする請求項１〜３のいずれか一つに記載の磁気共鳴イメージング装置。
【請求項５】
前記受信部は、第１の回路基板及び第２の回路基板を含み、前記第１の回路基板と前記第２の回路基板とを重ねた状態で前記寝台に設置されることを特徴とする請求項１〜４のいずれか一つに記載の磁気共鳴イメージング装置。
【請求項６】
前記第１の回路基板を、当該第１の回路基板と前記第２の回路基板との相対角度を変更可能に支持する支持部と、
前記相対角度が所定の角度となる位置で前記第１の回路基板を固定する固定部と
をさらに備えたことを特徴とする請求項５に記載の磁気共鳴イメージング装置。
【発明の詳細な説明】
【技術分野】
【０００１】
本発明の実施形態は、磁気共鳴イメージング装置に関する。
【背景技術】
【０００２】
従来、磁気共鳴イメージング装置は、被検体から発生する磁気共鳴信号を受信する受信コイルと、受信コイルによって受信された磁気共鳴信号を処理する受信部とを備える。そして、近年では、被検体の広い範囲を撮像するために、受信コイルとして、複数のコイルエレメントを含むアレイコイルも用いられている。受信部には、コイルエレメントの数に応じて複数の信号ケーブルが実装されるが、操作性や安全性の観点から、この信号ケーブルが寝台に実装されるようになってきた。そして、信号ケーブルを寝台に実装した場合に、この信号ケーブルによって、装置の据付性が低下する場合があった。
【先行技術文献】
【特許文献】
【０００３】
【特許文献１】特開２００８−１２２９０号公報
【発明の概要】
【発明が解決しようとする課題】
【０００４】
本発明が解決しようとする課題は、装置の据付性を向上させることができる磁気共鳴イメージング装置を提供することである。
【課題を解決するための手段】
【０００５】
実施形態に係る磁気共鳴イメージング（ＭＲＩ：Magnetic  Resonance  Imaging）装置は、寝台と、受信部とを備える。寝台は、被検体が載置される。受信部は、複数のコイルエレメントを含む受信コイルによってコイルエレメントごとに受信された磁気共鳴信号を処理する。そして、前記受信部は、前記寝台に設置される。
【図面の簡単な説明】
【０００６】
【図１】図１は、実施形態に係るＭＲＩ装置の構成を示す図である。
【図２】図２は、実施形態に係る受信コイル及び受信部の構成例を示す図（１）である。
【図３】図３は、実施形態に係る受信コイル及び受信部の構成例を示す図（２）である。
【図４】図４は、実施形態に係るＭＲＩ装置における受信部の配置例を示す図である。
【図５】図５は、実施形態に係る受信部の構成例を示す図（１）である。
【図６】図６は、実施形態に係る受信部の構成例を示す図（２）である。
【図７】図７は、実施形態に係る受信部の構成例を示す図（３）である。
【図８】図８は、実施形態に係る受信部の構成例を示す図（４）である。
【発明を実施するための形態】
【０００７】
以下に、図面に基づいて、ＭＲＩ装置の実施形態を詳細に説明する。
【０００８】
図１は、実施形態に係るＭＲＩ装置１００の構成例を示すブロック図である。図１に示すように、本実施形態に係るＭＲＩ装置１００は、架台１、静磁場磁石２、傾斜磁場コイル３、傾斜磁場電源４、送信コイル５、送信部６、受信コイル７、受信部８、寝台９、シーケンス制御部１０、収集部１１、画像再構成部１２、及びホストコンピュータ１３を備える。
【０００９】
架台１は、概略円筒形上に形成された静磁場磁石２、傾斜磁場コイル３及び送信コイル５を、それぞれの円筒の中心軸が揃うように配置して支持する。具体的には、架台１は、静磁場磁石２の内周側に傾斜磁場コイル３を配置し、傾斜磁場コイル３の内周側に送信コイル５を配置した状態で各部を支持し、送信コイル５の内周側に撮像空間を形成する。
【００１０】
静磁場磁石２は、撮像空間に一様な静磁場を発生する。例えば、静磁場磁石２は、永久磁石や超伝導磁石などである。傾斜磁場コイル３は、傾斜磁場電源４から電流の供給を受けて、撮像空間に傾斜磁場を発生する。傾斜磁場電源４は、シーケンス制御部１０による制御のもと、傾斜磁場コイル３に電流を供給する。
【００１１】
送信コイル５は、送信部６からＲＦ（Radio  Frequency）パルスの供給を受けて、撮像空間に高周波磁場を発生する。送信部６は、シーケンス制御部１０による制御のもと、ラーモア周波数に対応するＲＦパルスを送信コイル５に送信する。
【００１２】
受信コイル７は、高周波磁場の影響によって被検体Ｐから発生する磁気共鳴信号を受信する。そして、受信コイル７は、受信した磁気共鳴信号を内部の増幅器によって増幅して出力する。例えば、受信コイル７は、頭部用の受信コイル、脊椎用の受信コイル、腹部用の受信コイルなどである。なお、本実施形態では、受信コイル７は、複数のコイルエレメントを含むアレイコイルであり、各コイルエレメントによって磁気共鳴信号を受信する。
【００１３】
受信部８は、シーケンス制御部１０による制御のもと、受信コイル７から出力される磁気共鳴信号をＡ／Ｄ（Analog-to-Digital）変換することで、磁気共鳴（ＭＲ：Magnetic  Resonance）信号データを生成する。そして、受信部８は、生成したＭＲ信号データを収集部１１に送信する。なお、本実施形態では、受信部８は、複数のコイルエレメントを含む受信コイルによってコイルエレメントごとに受信された磁気共鳴信号を処理する。
【００１４】
図２及び３は、実施形態に係る受信コイル７及び受信部８の構成例を示す図である。図２に示すように、例えば、本実施形態に係る受信コイル７は、脊椎用の受信コイル７ａと、腹部用の受信コイル７ｂを含む。脊椎用の受信コイル７ａは、Ｘ軸方向に４列及びＺ軸方向に８列に配置された合計３２個のコイルエレメントＣ1A〜Ｃ4Hを含む。また、腹部用の受信コイル７ｂは、Ｘ軸方向及びＺ軸方向それぞれに４列に配置された合計１６個のコイルエレメントＣ1I〜Ｃ4Lを含む。ここで、図３に示すように、コイルエレメントＣ1A〜Ｃ4H及びＣ1I〜Ｃ4Lは、それぞれ増幅器７１を有する。増幅器７１は、磁気共鳴信号の電磁波がコイル素線を貫いた際に電磁誘導によって生じる微弱な電圧信号を増幅し、アナログ信号として出力する。
【００１５】
また、例えば、受信コイル７は、複数の合成部７２を有する。合成部７２は、コイルエレメントごとに受信された磁気共鳴信号を合成する。例えば、合成部７２は、被検体Ｐの体軸方向（Ｚ軸方向）に直交する水平方向（Ｘ軸方向）に配列された要素コイルにおける隣接するペアに対して１つずつ設けられる。各合成部７２は、１対の入力端７２ａ、７２ｂと、１対の出力端７２ｃ、７２ｄとを有しており、入力端７２ａ、７２ｂから入力した２つのアナログ信号ａ、ｂを加算した合成信号（ａ＋ｂ）と、２つのアナログ信号ａ、ｂを減算した差分信号（ａ−ｂ）とを、それぞれ出力端７２ｃ、７２ｄから出力する。このとき、合成部７２は、２つのアナログ信号ａ、ｂを同位相で合成することで合成信号（ａ＋ｂ）を生成し、２つのアナログ信号ａ、ｂの一方の位相を反転させて（１８０°位相をずらして）合成することで差分信号（ａ−ｂ）を生成する。
【００１６】
このように、各合成部７２は、隣接する２つのコイルエレメントがそれぞれ出力するアナログ信号を入力して合成信号及び差分信号を出力する。ここで、合成信号（ａ＋ｂ）は、対応する２つの小口径のコイルエレメントを合体した１つの大口径のコイルエレメントから出力されたアナログ信号とみなすことができる。したがって、合成信号（ａ＋ｂ、ｃ＋ｄ）に基づいて画像を生成することで、デジタル変換を行う合成信号の数を減らすことができる。この結果、デジタル変換の対象とするコイルエレメントの数を増やすことができ、撮像領域を拡げることができる。一方、合成信号（ａ＋ｂ）及び差分信号（ａ−ｂ）の両方を用いれば、対応する２つの小口径のコイルエレメントから出力されたアナログ信号ａ、ｂをそれぞれ別々に再生することができるので、高解像度の画像を生成することができる。
【００１７】
また、図３に示すように、本実施形態に係る受信部８は、選択部８１と、変換部８２とを有する。選択部８１は、コイルエレメントごとに受信された磁気共鳴信号の中から撮像に用いる磁気共鳴信号を選択する。具体的には、選択部８１は、ホストコンピュータ１３から送信される選択信号にしたがって、複数の合成部７２それぞれから出力される信号の中から、撮像に用いられるコイルエレメントに対応する信号を選択して変換部８２に出力する。ここで、選択部８１は、合成部７２から出力される合成信号及び差分信号又は合成信号のみを、選択的に変換部８２に出力する。このとき、選択部８１が、合成部７２から出力される合成信号のみを変換部８２に出力すれば、広範囲にわたる撮像が可能になる。一方、選択部８１が、合成部７２から出力される合成信号及び差分信号を変換部８２に出力すれば、高解像度の画像を撮像することが可能になる。
【００１８】
変換部８２は、コイルエレメントごとに受信された磁気共鳴信号をデジタル信号に変換する。具体的には、変換部８２は、選択部８１から入力したアナログ信号をデジタル信号に変換して出力する。ここで、変換部８２は、受信コイル７が有するコイルエレメントの個数よりも少ない個数の受信チャネル８３を有し（図３に示す例では、８個）、各受信チャネル８３を介して、選択部８１によって選択された信号を入力する。そして、変換部８２は、合成部７２から入力した信号をデジタル信号に変換して出力する。なお、変換部８２が有する受信チャネル８３の個数は、ＭＲＩ装置１００の規模や撮像対象（目的）に応じて、設計時に適宜に設定される。
【００１９】
なお、本実施形態では、合成部７２が受信コイル７に含まれる場合の例を説明するが、合成部７２は、受信部８に設けられてもよい。また、本実施形態では、合成部７２が、各コイルエレメントから出力されるアナログ信号から合成信号及び差分信号を生成する場合の例を説明するが、合成部７２は、合成信号のみを生成してもよい。
【００２０】
図１の説明に戻って、寝台９は、被検体Ｐが載置される装置である。具体的には、寝台９は、被検体Ｐが置かれる天板９ａと、天板９ａを長手方向、短手方向及び上下方向に移動するための移動機構を有する。例えば、寝台９は、被検体Ｐの撮像が行われる際には、被検体Ｐが置かれた天板９ａを撮像空間に移動する。通常、寝台９は、天板９ａの長手方向が静磁場磁石２の中心軸と平行になるように設置される。なお、天板９ａには、受信コイル７と受信部８とを中継するためのコイルポート９ｂが設けられる。なお、本実施形態では、天板９ａには、受信コイル７が有するコイルエレメントごとに、複数のコイルポート９ｂが設けられる。そして、各コイルポート９ｂと受信部８との間には、コイルポートごとに、複数の信号ケーブルが実装される。
【００２１】
シーケンス制御部１０は、ホストコンピュータ１３から送信されるシーケンス実行データに従って傾斜磁場電源４、送信部６、及び受信部８を駆動することで、被検体Ｐから磁気共鳴データを収集するためのパルスシーケンスを実行する。ここで、シーケンス実行データは、傾斜磁場電源４が傾斜磁場コイル３に供給する電源の強さや電源を供給するタイミング、送信部６が送信コイル５に送信するＲＦパルスの強さやＲＦパルスを送信するタイミング、受信部８が磁気共鳴信号を検出するタイミングなど、磁気共鳴データを収集するための処理手順を定義した情報である。また、シーケンス制御部１０は、受信コイル７としてアレイコイルが用いられる場合に、ホストコンピュータ１３から送信されるコイルエレメントの選択信号を受信部８に送信する。この選択信号は、複数のコイルエレメントによって受信される磁気共鳴信号の中から、撮像に用いられるコイルエレメントに対応する信号を選択するための信号である。
【００２２】
収集部１１は、シーケンス制御部１０によって傾斜磁場電源４、送信部６、及び受信部８が駆動された結果、受信部８から送信されるＭＲ信号データを収集する。そして、収集部１１は、収集したＭＲ信号データに対してアベレージング処理、位相補正処理などの補正処理を行い、補正後のＭＲ信号データを画像再構成部１２に送信する。
【００２３】
画像再構成部１２は、収集部１１から送信されたＭＲ信号データに対して、フィルタ処理や再構成処理等の画像処理を行って画像データを生成する。具体的には、画像再構成部１２は、ｋ空間変換フィルタ処理や２次元ＦＦＴ（Fast  Fourier  Transform）又は３次元ＦＦＴ、画像フィルタ等の画像処理を行って２次元又は３次元の画像データを再構成し、再構成した画像データをホストコンピュータ１３に送信する。
【００２４】
ホストコンピュータ１３は、入力部１３ａ、表示部１３ｂ、記憶部１３ｃ、及び制御部１３ｄを備える。入力部１３ａは、操作者から各種操作を受け付ける。表示部１３ｂは、画像再構成部１２によって生成された各種画像や、操作者から各種操作を受け付けるためのＧＵＩ（Graphical  User  Interface）などを表示する。記憶部１３ｃは、画像再構成部１２によって生成された画像データや、ＭＲＩ装置１００の動作に必要な各種情報を記憶する。
【００２５】
制御部１３ｄは、ＣＰＵ（Central  Processing  Unit）やメモリ等を有し、ＭＲＩ装置１００の全体制御を行う。例えば、制御部１３ｄは、入力部１３ａを介して操作者から入力される撮像条件に基づいて各種のシーケンス実行データを生成し、生成したシーケンス実行データをシーケンス制御部１０に送信する。また、制御部１３ｄは、受信コイル７としてアレイコイルが用いられる場合に、操作者から入力された撮像条件に基づいて、受信コイル７が有する複数のコイルエレメントの中から撮像に用いられるコイルエレメントを選択する。そして、制御部１３ｄは、選択したコイルエレメントに対応する信号を選択するための選択信号をシーケンス制御部１０に送信する。なお、この選択信号には、合成部７２から出力される合成信号及び差分信号を用いるか、又は、合成信号のみを用いるかを示す情報も含まれる。
【００２６】
以上、本実施形態に係るＭＲＩ装置１００の構成例を説明した。従来、このようなＭＲＩ装置において、受信部は、架台や寝台とは別に設けられた専用のキャビネットに格納されるのが一般的であった。しかし、複数のコイルエレメントを含むアレイコイルが受信コイルとして用いられる場合には、寝台の天板に設けられる複数のコイルポートそれぞれから受信部までの間に複数の信号ケーブルが実装されることになる。この結果、寝台から多数の信号ケーブルを引き出すことになり、装置の据付性が低下する場合があった。また、従来のＭＲＩ装置では、架台に受信部が設けられる場合もあるが、その場合でも、寝台と架台との間に多数の信号ケーブルを設けることになり、装置の据付性が低下する場合があった。
【００２７】
そこで、本実施形態に係るＭＲＩ装置１００では、受信部８が、寝台９に設けられる。前述したように、受信部８では、選択部８１が、合成部７２から出力されるアナログ信号を選択的に出力し、変換部８２が、選択部８１から出力されるアナログ信号をデジタル信号に変換して出力する。このため、受信部８内に実装される信号ケーブルの本数は、選択部８１及び変換部８２を経るごとに減少することになる。さらに、合成部７２が受信部８に設けられ、かつ、合成信号のみを出力する場合には、合成部７２を経ることでも、信号ケーブルは減少することになる。すなわち、受信部８では、出力側すなわち後段側に近付くにつれて信号ケーブルの本数が減少することになる。
【００２８】
したがって、本実施形態に係るＭＲＩ装置１００のように、受信部８を寝台９に設けることによって、寝台から引き出される信号ケーブルの本数を減らすことが可能になり、装置の据付性を向上させることができる。以下では、ＭＲＩ装置１００における受信部８の配置例と、受信部８の構成例について詳細に説明する。
【００２９】
図４は、実施形態に係るＭＲＩ装置１００における受信部８の配置例を示す図である。例えば、図４に示すように、寝台９が、天板９ａを下方から支持する上部フレーム９ｃと、上部フレーム９ｃを上下方向へ移動させる上下動機構９ｄと、上下動機構を下方から支持する下部フレーム９ｅとを備えていたとする。また、天板９ａのコイルポート９ｂに接続された信号ケーブルが、上部フレーム９ｃにおける架台１から離れた側を通って受信部８まで達するように実装されていたとする。
【００３０】
このような場合に、受信部８は、磁気共鳴信号の伝送経路上で寝台９の可動部より後段に設置される。例えば、図４に示すように、受信部８は、寝台９の内部における架台１に近い側に設置される。より具体的には、例えば、受信部８は、上部フレーム９ｃと下部フレーム９ｅとの間にある空間で、上下動機構９ｄと架台１との間に設置される。これにより、コイルポート９ｂと受信部８との間に実装される信号ケーブル９１が、上下動機構９ｄの付近を通るように配置されることになる。この結果、受信部８の出力側に接続される信号ケーブル９２が、上下動機構９ｄの可動部を通過しないように配置されるので、上下動機構９ｄの動作によって、受信部８の出力側に接続される信号ケーブル９２が断線するのを防ぐことができる。
【００３１】
なお、このように受信部８を設置した場合は、コイルポート９ｂと受信部８との間に実装される信号ケーブル９１が断線することもあり得る。しかし、前述したように、受信部８では、出力側すなわち後段に近付くにつれて信号ケーブルの本数が減少するので、コイルポート９ｂと受信部８との間に実装される信号ケーブル９１の本数は、受信部８の出力側に接続される信号ケーブル９２より多い。そのため、コイルポート９ｂと受信部８との間に実装される複数の信号ケーブル９１のうちの１本が断線したときの影響は、受信部８の出力側に接続される信号ケーブル９２が断線したときの影響と比べて小さい（信号ケーブル９１が断線した場合は、コイルポート９ｂのうち、断線の当該コイルポート以外を使用しての撮影が可能であるが、信号ケーブル９２が断線した場合は、撮影ができなくなる可能性も少なからずある）。したがって、磁気共鳴信号の伝送経路上で寝台９の可動部より後段に受信部８を設置することで、可動部によって信号ケーブルが断線したときの装置への影響を低減させることができる。
【００３２】
また、例えば、図４に示すように、受信部８は、寝台９における下側に設置される。より具体的には、例えば、受信部８は、上部フレーム９ｃと下部フレーム９ｅとの間にある空間で、下部フレーム９ｅ上の架台１に近い側に設置される。これにより、信号ケーブルが架台１内で発生する磁場から離れて配置されることになり、磁場による信号へのノイズの混入を抑えることができる。
【００３３】
図５〜８は、実施形態に係る受信部８の構成例を示す図である。図５に示すように、受信部８は、第１の回路基板８ａ及び第２の回路基板８ｂを含む。ここで、受信部８が有する各回路基板には、コイルエレメントごとに受信された磁気共鳴信号を処理するための各種回路が実装される。例えば、第１の回路基板８ａには、選択部８１を実現する選択回路や変換部８２を実現する変換回路などが実装され、第１の回路基板８ａには、選択部８１や変換部８２を制御するための制御回路が実装される。
【００３４】
そして、図５に示すように、受信部８は、第１の回路基板８ａと第２の回路基板８ｂとを重ねた状態で寝台９に設置される。例えば、図５に示すように、第２の回路基板８ｂの上側に第１の回路基板８ａが配置される。このように、複数の回路基板を重ねた状態で設置することで、寝台９内の小さなスペースに受信部８を設置することが可能になる。
【００３５】
また、図６に示すように、受信部８は、第１の回路基板８ａを、当該第１の回路基板８ａと第２の回路基板８ｂとの相対角度を変更可能に支持する支持部を有する。例えば、支持部は、第１の回路基板８ａが乗せられるシャーシ８ｃの一端に設けられたヒンジ８ｄである。さらに、受信部８は、第１の回路基板８ａと第２の回路基板８ｂとの相対角度が所定の角度となる位置で第１の回路基板を固定する固定部を備える。例えば、固定部は、第１の回路基板８ａが乗せられるシャーシ８ｃの一端に設けられたねじ８ｅである。例えば、ねじ８ｅは、第１の回路基板８ａと第２の回路基板８ｂとの相対角度が所定の角度となったときに、ヒンジ８ｄに設けられたねじ穴に嵌合するように設けられる。
【００３６】
そして、図７に示すように、通常の運用時には、第１の回路基板８ａ及び第２の回路基板８ｂは、上下に重ねて配置される。このとき、第１の回路基板８ａが乗せられるシャーシ８ｃは、ヒンジ８ｄと、第２の回路基板の端部に設けられたシャーシ支持部８ｆによって支持され、第２の回路基板の上側に所定の距離だけ離して配置される。
【００３７】
また、図８に示すように、受信部８の点検時には、第１の回路基板８ａが、ねじ８ｅによって、第２の回路基板８ｂとの相対角度が所定の角度となった状態で固定される。例えば、第１の回路基板８ａは、第２の回路基板８ｂとの相対角度が３０°となった状態で固定される。これにより、第１の回路基板８ａと第２の回路基板８ｂとの間を開けた状態で、第１の回路基板８ａを固定することができ、この結果、第２の回路基板８ｂの上側に点検用のスペースを確保することができる。例えば、回路基板の基板上には、基板に設けられている回路が故障したことを示すためのＬＥＤ（Light  Emitting  Diode）が設けられる場合もある。その場合には、受信部８を点検する担当者が、第１の回路基板８ａを上側に開いた状態で固定することによって、第２の回路基板８ｂの基板上に設けられたＬＥＤが点灯しているか否かを容易に確認することができる。また、受信部８を点検する担当者が、第２の回路基板８ｂの上側に容易にアクセスすることができるようになるので、装置のサービス性を向上させることができる。
【００３８】
なお、ここでは、受信部８が、２つの回路基板を有する場合の例を説明したが、受信部８は、２つより多く回路基板を有していてもよい。その場合には、回路基板ごとに固定部が設けられる。そして、各固定部は、対向する回路基板の相対角度がそれぞれ所定の角度となるように各回路基板を固定する。
【００３９】
上述したように、本実施形態に係るＭＲＩ装置１００によれば、受信部８を寝台９に設けることによって、装置の据付性を向上させることができる。また、受信コイル７によって受信された磁気共鳴信号は信号ケーブルを通るうちに減衰する場合があるが、受信部８を寝台９に設置することによって、受信部８を寝台９の外に設置する場合と比べて、コイルポート９ｂと受信部８との間に実装される信号ケーブル９１の長さを短くすることができ、信号の減衰を抑えることができる。
【００４０】
なお、本実施形態では、傾斜磁場電源４、送信部６、シーケンス制御部１０、収集部１１、及び画像再構成部１２を機械室に設置した場合の例を説明したが、ＭＲＩ装置１００を設置する場所の関係で機械室を設けることが難しい場合には、これらの各部は、撮影室や操作室に設置されてもよい。本実施形態に係るＭＲＩ装置１００によれば、受信部８を寝台９に設けることによって、撮影室や架台１内に空きスペースを作ることができるので、その空きスペースに、これらの各部を設置することもできるようになる。
【００４１】
なお、本実施形態では、図４に示したように、受信部８が、上部フレーム９ｃと下部フレーム９ｅとの間にある空間で、上下動機構９ｄと架台１との間で、下部フレーム９ｅ上の架台１に近い側に設置される場合の例を説明したが、受信部８の位置は必ずしもこれに限られない。例えば、受信部８は、上部フレーム９ｃと下部フレーム９ｅとの間にある空間で、架台１から離れた側に設置されてもよいし、下部フレーム９ｅの下側に取り付けられてもよい。すなわち、受信部８は、寝台９に設けられるのであれば、どこの位置に設けられても、上記実施形態と同様に、寝台から引き出される信号ケーブルの本数を減らすことが可能になり、装置の据付性を向上させることができる。また、受信部８を寝台９の外に設置する場合と比べて、コイルポート９ｂと受信部８との間に実装される信号ケーブル９１の長さを短くすることができ、信号の減衰を抑えることもできる。
【００４２】
以上説明した少なくともひとつの実施形態によれば、装置の据付性を向上させることができる。
【００４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１００  磁気共鳴イメージング（ＭＲＩ：Magnetic  Resonance  Imaging）装置
８  受信部
９  寝台
【図１】
2014212856.tif 000003
【図２】
2014212856.tif 000004
【図３】
2014212856.tif 000005
【図４】
2014212856.tif 000006
【図５】
2014212856.tif 000007
【図６】
2014212856.tif 000008
【図７】
2014212856.tif 000009
【図８】
2014212856.tif 000010